(57)【要約】【課題】着用時に脚を入れ、腰部でずり上げる際の窮屈さを解消し、かつ腰部へ着用時には十分な腹部への引締力を付与し、使用中腰部への圧迫感の少ないガードルを得ることである。【解決手段】ショートガードルＧDLは、高伸縮性の身生地をそれぞれ用いた略六角形のフロント部１の両上側辺に脇背部２を、フロント部１の両下側辺を収縮状としてボトム部４に、ボトム部４の後背部を脇背部２の尻下部にそれぞれ縫合し、かつフロント部１の裏側に２枚の裏当布１L ’、１R ’をそれぞれの下辺がフロント部中央でクロスし、下辺は縫合することなく開放状とし、他の辺はそれぞれ縫合して形成されている。フロント部１の上半部分は３枚の高伸縮性の布が重なり、腹部に対し高い引締め効果を与え、下半部分は下方となるにつれ布一枚となり、着用時の窮屈さを開放するように形成されている。【選択図】図１
2007031908.tif 000002
【特許請求の範囲】
【請求項１】
高伸縮性の身生地によるフロント部１の裏側に伸縮性の２枚の裏当布１L ’、１R ’を、フロント部１の一方の脇付近から他方の脇付近の縫合線Ｌ12へ互いにその下辺がフロント部１の中央でクロスして斜め上方に向って延び、かつ下辺は開放状として互いに重なるように設けたガードル。
【請求項２】
前記フロント部１を略六角形状とし、フロント部１の両上側辺を脇背部２に、下辺をボトム部４にそれぞれ縫合し、２枚の裏当布１L ’、１R ’のそれぞれの上辺をフロント部１の上辺に、両側辺をフロント部１の上側辺に縫合したことを特徴とする請求項１に記載のガードル。
【請求項３】
前記請求項１又は２のガードルＧDLに対し、そのフロント部１にスリップ部ＳL のフロント部１A を縫合し、脇背部２をスリップ部ＳL まで延ばし、その上端にブラジャを縫合したスリップガードル。
【請求項４】
前記ガードルをフロント部１と背部２’の布で形成し、フロント部１及び背部２’の下方は脚部６へ連続して延び、ボトム部４’はフロント部１と背部２’の中央の下部に形成した円弧部に縫合線Ｌ14で縫合され、かつ脚部６へ連続して延びるように形成された請求項１に記載のガードル。
【発明の詳細な説明】
【技術分野】
【０００１】
この発明は、腹部、特に下腹部の膨出を押え、腹部の外観を美しく補整するための女性用下着であるガードルに関する。
【背景技術】
【０００２】
腹部の外観を美しく補整する補整機能を有する女性用下着としてガードルが広く利用されている。この種のガードルは、一般に伸縮性の身生地のフロント部裏に腹部を強く押えるために伸縮性の少ない裏当布が縫着され、裏当布の上縁又は側縁を身生地の伸縮により引締めて腹部を押えるようにしている。このようなガードルの一例として特許文献１の「ガードル」が公知である。このガードルは、ロングガードルと一般に称されるもので、伸縮性の身生地のフロント部裏側に伸びの少ない２枚の裏当布をたすき掛け状に交差させてその両側縁を身生地に縫着し、両裏当布の上側辺はフロント中央部に対し非縫着としたというものである。
【０００３】
他の例として、特許文献２の「腹部補整機能を有するボトム衣類」が公知である。このボトム衣類は、略五角形又は菱形状の腹部押え布の頂点がフロント部中央に位置し、腹部押え布の左右上辺部にウエスト部が、押え布の左右下脇辺部とウエスト部の下辺部に前後脇部がそれぞれ縫合され、上記各縫合辺は腹部押え布の各辺を対応する縫合辺より短いものを引き伸ばして縫合し、かつウエスト部の下辺部を対応する縫合辺より短いものを引き伸ばして縫合したというものである。このボトム衣類は、ショートガードルとロングガードルに適用される。
【０００４】
しかし、特許文献１の「ガードル」は、２枚の裏当布の下側辺と短い上側辺の片側はウエスト部に縫合されているが、長辺の上側辺はフロント部に縫合されず、開放されている。このため、装着時にウエスト部とフロント部を引張って広げる際には広げ易く、脚を入れたり腹部でずり上げる際の窮屈さはないが、着用後にフロント部により腹部を引締める力は十分ではない。裏当布に伸縮性がないため、裏当布による引締力がないからである。
【０００５】
又、特許文献２の「ボトム衣類」は、略五角形の腹部押え布をその下辺以外の上側辺、下側辺を縫合しようとするウエスト充当部、前脇後充当部の各辺寸法より短く作成し、各辺をそれぞれ引伸ばして縫合することによりウエスト充当部、前脇後充当部を引締めて腹部補整をするようにしている。しかし、腹部押え布の寸法差による引締力はわずかであり、引締力としては十分ではない。又、全体的に各辺を腹部押え布の中心に引締めようとするため、着用時には脚を入れ、腰部でずり上げる際に窮屈であり、使い心地が良いとは言えない。
【特許文献１】特開平９−１４３８０４号公報
【特許文献２】実用新案登録第３０８９２５２号公報
【発明の開示】
【発明が解決しようとする課題】
【０００６】
この発明は、上記の問題に留意して、着用時に脚を入れ、腰部でずり上げる際の窮屈さを解消し、かつ腰部へ着用時には十分な腹部への引締力を付与し、使用中腰部への圧迫感の少ないガードルを提供することを課題とする。
【課題を解決するための手段】
【０００７】
この発明は、上記の課題を解釈する手段として、高伸縮性の身生地によるフロント部の裏側に伸縮性の２枚の裏当布を、フロント部の一方の脇付近から他方の脇付近の縫合線へ互いにその下辺がフロント部の中央でクロスして斜め上方に向って延び、かつ下辺は開放状として互いに重なるように設けたガードルとしたのである。
【０００８】
上記の構成としたこの発明のガードルによれば、着用時の窮屈さがなく、着用時に腹部へ十分な引締力を付与し、外観上美しい身体プロポーションを与えることができる。上記構成のガードルのフロント部は、フロント部身生地の裏側に２枚の裏当布が重ねられ、それぞれ高伸縮性の布が用いられている。従って、腹部に対する引締め効果が高く、腹部の贅肉の膨出を引締めて腹部形状を補整する。
【０００９】
又、フロント部の裏側の２枚の裏当布の下辺が中央でクロスして傾斜状に両側方に延び、裏当布の下辺より下方はフロント部の身生地のみとなり、かつその下辺はそれぞれ開放状とされている。このため、フロント部と脇背部の上方のウエストを広げて脚を通す際に、フロント部の下方になるにつれて布の重なりが少なく、従って脚を通し易く、腰部へずり上げる際にもフロント下半部分の締付けが殆どなく窮屈さがない。
【００１０】
上記のガードルは、ショートガードル又はロングガードルのいずれにも適用される。又、スリップ・ガードルにも適用し得る。これらいずれの形式のガードルにも、フロント部の裏側に高伸縮性の裏布を縫合し、その裏側にさらに上記２枚の裏当布を重ねて縫合するとよい。上記ガードルをショートガードルとする場合、フロント部の下側辺を下辺の端から脇背部の略中間位置まで傾斜状にカットし、ボトム部の後方端を脇背部下方の尻下部に縫合し、尻下部端をボトム部後方端から脇背部に傾斜状にカットし、これにより大腿部を挿通させる開口を形成する。この開口を設けることにより着脱の際に大腿部を挿通し易くなる。
【００１１】
上記ガードルをロングガードルとする場合、フロント部と背部の２枚の布で形成し、フロント部及び背部の下方は脚部へ連続して延び、ボトム部はフロント部と背部の中央の下部に形成した円弧部に縫合され、かつ脚部へ連続して延びるように形成するとよい。この場合、脇背部はフロント部の側方と背部の一部が脇部となり、このためショートガードルのような脇背部という形状ではない。
【００１２】
さらに、上記ガードルをスリップ・ガードルとする場合、上記ガードルに対し、そのフロント部にスリップ部のフロント部を縫合し、脇背部をスリップ部まで延ばし、その上端にブラジャを縫合したものとすることもできる。上記ガードルをショートガードル、ロングガードル、スリップ・ガードルのいずれに適用する場合も、２枚の裏当布による腹部の引締め効果が得られ、かつそれぞれの形式のガードルに適用される。
【発明の効果】
【００１３】
この発明のガードルは、高伸縮性の身生地を用いたフロント部の裏側に２枚の高伸縮性の裏当布をそれぞれの下辺がフロント部中央で傾斜状にクロスするように縫合したから、フロント部の裏当布による腹部への引締め効果が大きく、フロント部の裏当布より下方部分はフロント部の身生地のみとなり、このため着用時の窮屈さを殆ど感じることがなく、外観的に美しい身体のプロポーションを与えるという効果が得られる。
【発明を実施するための最良の形態】
【００１４】
以下、この発明の実施の形態について図面を参照して説明する。図１は、実施形態のショートガードルＧDLの正面図を示す。１はショートガードルＧDLのフロント部、２は脇背部、３ａは尻部、３ｂは尻下部、４はボトム部、５はウエストテープである。図示のショートガードルＧDLは、その表面を外にした着用時の正面図を示しており、表面に見える上記フロント部１、脇背部２、尻部３ａ、尻下部３ｂ、ボトム部４のいずれも縦横方向に高い伸縮性を有するスパンデックス等の糸を用いた身生地が用いられ、その表面には図示しない花柄模様の装飾が施されている。
【００１５】
ショートガードルＧDLのフロント部１は、正面視大略六角形状に形成され、図３に示すように、その裏面には大略六角形であるが縫合線Ｌｕで示す両側辺が小幅の裏布１ｕが縫合されている。この裏布１ｕは、フロント部１と同じ高伸縮性のスパンデックス等の糸が用いられ、かつ後述する尻下部３ｂの裏布３ｕと同様にメッシュ状の編織布が用いられている。フロント部１の六角形上辺はウエストテープ５に縫合され、この上辺に至る左右の両側辺は上にやや縮小する形状で縫合線Ｌ12により脇背部２に縫合されている。又、フロント部１の六角形底辺に至る左右の下側辺は底辺に向って幅が縮小するように形成され、底辺はボトム部４の上端に縫合線Ｌ14で縫合されている。
【００１６】
そして、ボトム部４は股下から後部へ少し広がりを以て延び、図２に示すように、縫合線Ｌ34で尻下部３ｂに縫合されている。尻下部３ｂの端は、ボトム部４の後部両端に連続し、そこから幅を広げて脇背部２の下端に至る。従って、フロント部１の両下側辺からボトム部４の両側辺を経て尻下部３ｂの端に至る側端は、大腿部を挿通できる開口３Ｃを成す。このため、一般に図示のガードルＧDLはショートガードルと呼ばれる。
【００１７】
但し、図１では尻部３ａの裏面、尻下部３ｂ、ボトム部４は、裏布３ｕ、４ｕの一部が見えている。Ｌ12はフロント部１と脇背部２の縫合線、Ｌ34はボトム部４と尻下部３ｂとの縫合線、ｔ1 、ｔ1 ’、ｔ3 、ｔ4 は縁取りテープである。フロント部１の裏側には、さらに後述するように２枚の裏当布１L ’、１R ’が設けられている。又、図２にガードルの背面図を示す。脇背部２、２は背面の中央で縫合線Ｌ2 により縫合され、尻下部３ｂ、３ｂはその下端部がボトム部４と縫合線Ｌ34により縫合されている。
【００１８】
図３に上記ショートガードルＧDLを裏返してフロント部１を正面に示した裏正面図を示す。図示のように、フロント部１の身生地の裏に２枚の裏当布１L ’、１R ’が重ねて設けられている。２枚の裏当布１L ’、１R ’は、互いに対称な略台形状であり、その上辺は２枚のいずれもウエストテープ５に縫合され、左右の側辺は縫合線Ｌ12でそれぞれ脇背部２に縫合されている。又、左右の側辺は、例えば裏当布１L ’では右側辺が短く、左側辺が長く、その長、短辺は裏当布１R ’では対称に形成されている。
【００１９】
さらに、裏当布１L ’、１R ’の下辺は互いに傾斜状にフロント部１の中央でクロスするように形成され、それぞれの下辺は縁取りｔ1 ’、ｔ1 ’で縁取りされているが、フロント部１の身生地には縫合されておらず、即ち各下辺はフロント部１に対し開放状に設けられている。又、裏当布１L ’、１R ’の重なりはフロント部１の裏に裏当布１R ’、その裏に裏当布１L ’がこの順序に重ねられている。但し、裏当布１L ’、１R ’を重ねる順序は上記と逆でもよい。
【００２０】
なお、ボトム部４の裏布４ｕは、ボトム部４の表布とは別に、伸縮性のないトリコット等の素材を用いてボトム部４と同形状の布が二重に縫合されている。又、図４に示すように尻下部３ｂの外周辺には、身生地と同等な伸縮性を有し、メッシュ状に編織された裏布３ｕが縫合線Ｌ3 と縁取りテープｔ3 により縫合されている。裏布３ｕを二重に取付けることによりヒップアップ効果を付与している。
【００２１】
上記の構成とした実施形態のショートガードルＧDLは、上述したように、フロント部１の上半部分では、見かけ上はフロント部１の身生地、裏当布１L ’、１R ’の３枚が重なり、かつ実際にはフロント部１の身生地とその裏布１ｕ、裏当布１L ’、１R ’の合計４枚が重なっており、従って上腹部付近の伸縮性は極めて強力で、上腹部の贅肉を引締めるに十分な引締力を付与できる。裏当布１L ’、１R ’はフロント部１の中央でクロスする点より下方に互いに分かれて延びており、かつフロント部１の身生地（裏布含む）はその下側辺が下方に縮小し、ボトム部４の前部から後部、さらに尻下部３ｂの端の開口３Ｃでカットされている。
【００２２】
従って、このショートガードルＧDLを着用する際に、大腿部に開口３Ｃが来るまでショートガードルＧDLを引上げても、まずフロント部１の上半部分が上腹部を引締めるが、下半部分は裏当布１L ’、１R ’より下ではフロント部１の収縮辺、尻下部３ｂだけが大腿部に接触する。このため、着用時に大腿部付近を圧迫することによる着脱の窮屈さが全くなく、着用も極めてスムーズに行なわれることとなる。又、ショートガードルＧDL全体を腰部に適切な位置まで引上げると、尻下部３ｂの部分は裏布で二重となっているため、腰部への引上力で尻下部３ｂが尻部を持上げ、程良いヒップアップ効果が得られる。
【００２３】
なお、裏当布１L ’、１R ’の短い側辺は長い側辺の略１／２の長さのものを図示したが、短い側辺を長い側辺の１／３〜２／３程度に短く、あるいは長くしてもよい。又、フロント部１の両下側辺の上端は裏当布１L ’、１R ’の長い側辺の略１／２の位置を始端としているが、上記長い側辺の２／３より下方の位置で、かつ大腿部への引締めが適切であれば任意の位置を始端とすることができる。
【００２４】
図７、図８に第二実施形態のスリップ・ガードルの正面図、裏返し正面図を示す。この実施形態のスリップ・ガードルＧS は、第一実施形態のガードルＧDLの上方にブラジャ１０付きのスリップ部ＳL を一体に形成して全体をスリップ形のガードルとした女性用下着である。ガードル部ＧDLは、基本的には第一実施形態のガードルＧDLとほぼ同じ構成、機能を有する（但し、スリップ部と一体のためガードル部と称し同じ符号を用いる。）が、細部において若干異なる部分があり、以下その異なる部分を中心に説明する。但し、同一構成、機能部分については同一の符号を付して説明を省略する。
【００２５】
まず、ガードル部ＧDLは、全体としてスリップ形のガードルを形成するため、略六角形状のフロント部１は、上辺が第一実施形態より上方に位置するよう延びており、ウエストテープ５は設けられていない。そして、フロント部１の上辺は縫合線Ｌ1Aでスリップ部ＳL のフロント部１A に縫合されている。又、ガードル部ＧDLの脇背部２とスリップ部ＳL の脇背部２とは連続して編成されている。従って、ガードル部ＧDLのフロント部１の上側辺と、スリップ部ＳL のフロント部１A の側辺とは連続する滑らかな曲線状の縫合線Ｌ12で脇背部２に縫合されている。
【００２６】
又、下辺は、縫合線Ｌ14でホック部４ａに縫合され、ホック部４ａを介してボトム部４に接続されている。ホック部４ａは、小さな矩形状の２枚の布を２つのホックで接合、分離自在に設けられている。ボトム部４は後側の幅の広がりが、第一実施形態よりやや小さく、後側で接続される尻下部３ｂの縁取りｔ3 のテープは設けられておらず、尻下部３ｂに裏布３ｕが縫合されている。
【００２７】
フロント部１の両上側辺の縫合線Ｌ12は、脇背部２の中間位置よりやや下方付近で終り、最下方まで延びていない。従って、脇背部２の下方の身生地が連続して斜め上方へ延びて裏当布１L ’、１R ’としてフロント部１の裏側に重ねられている。図７の左側の脇背部２の下方から斜め上方に延びる裏当布１L ’は、右側の縫合線Ｌ12まで延び、かつその上辺はスリップ部ＳL のフロント部１A の上辺まで延び、ブラジャ１０との境界まで延びている。裏当布１R ’は、上記裏当布１L ’と対称で、かつ全く同形状に設けられている。
【００２８】
但し、ガードル部ＧDLの裏布１ｕは、図１の場合と若干異なりそのフロント部１と同形状に六角形の外周辺でそれぞれ縫合されて設けられているが、スリップ部ＳL のフロント部１A の裏布は設けられていない。又、ガードル部ＧDLとスリップ部ＳL の脇背部２は、脇布と背布が点線で示す左右の縫合線Ｌ2 ’により一体に縫合されている。ブラジャ１０の背部は、点線２ａ、２ａで示すように、スリップ部ＳL の脇背部の上端として背中中央に向って下り勾配に裁断され、その中央寄りの所定位置とブラジャ１０の上端の間にスリップ紐１１が結ばれている。なお、図１のガードルＧDLに対し、図７の場合、縁取りｔ1 ’、ｔ3 は設けられていない。
【００２９】
この第二実施形態のスリップ・ガードルＧS は、スリップとブラジャを上半分に、ガードル部ＧDLを下半分に一体に形成したものであり、従ってガードル部ＧDLとしての機能は第一実施形態のものと基本的に同じである。但し、フロント部１がスリップＳL まで延びているため、腹部の引締め作用はより一層効果的に働き、スリップＳL からの連続した引締め作用として付与される。
【００３０】
図９、図１０に第三実施形態のロングガードルＧDL’の正面図、裏返し正面図を示す。この例のガードルはロングガードルＧDL’であり、特徴的な構成は第一実施形態のショートガードルＧDLと同じであるが、ロングガードルＧDL’としたことにより細部で若干異なる部分があり、以下その異なる部分を中心に説明する。但し、同一構成、機能部分については同一の符号を付して説明を省略する。
【００３１】
図示のように、この例では、フロント部１が中央で分割され、縫合線Ｌ1 で縫合されており、背布と表布を平面上に重ねて置いた状態で示した場合、左右端付近の縫合線Ｌ12まで幅が広く、かつ図中の想像線Ｈ−Ｈ付近まで延びた略矩形状に形成されている。但し、フロント部１の裏布１ｕは縫合線Ｌｕで示す不等辺六角形状の範囲に設けられている。そして、その下辺はフロント部１の中央部を共にボトム部４’に縫合されている。背部２’も、フロント部１と同様に幅広で、かつ想像線Ｈ−Ｈ付近まで延びた略矩形状に形成されている。従って、脇部は、この例ではフロント部１と背部２’の縫合線Ｌ12を中心とする前後の布部分となる。
【００３２】
特徴的な構成としての裏当布１L ’、１R ’は、上下に縫合線Ｌ1L、Ｌ1Rで示す斜め方向の帯布を互いに中央でクロスするように設けている点は第一実施形態と同じである。尻下部３ｂは、ボトム部４’の上端より少し下方に位置し、その裏布３ｕは、尻下部３ｂから脇部上方まで延び、その上端はウエストテープ５まで左右対称に設けられている。Ｌ3Uは裏布３ｕの縫合線を示す。
【００３３】
ボトム部４’は、ガードルの厚み方向に所定幅の帯布がフロント部１の中央下部の円弧部に縫合線Ｌ14で裏、表布の両方に縫合されて形成され、この帯布の縫合線Ｌ14は脚部６の内縁に沿って下方へ延びている。脚部６はさらに脚レース７に続いている。脚レース７は、レース生地で花柄模様が装飾され、縫合線Ｌ6 によりそれぞれ脚部６に縫合されている。但し、ボトム部４’に裏布は設けられていない。ボトム部４’の生地はフロント部１と同じ伸縮性のある布が用いられている。なお、ロングガードルＧDL’は、第一実施形態とは形状が少し異なるため当然ながら、開口３ｃ、縁取りｔ1 、ｔ3 、ｔ4 、縫合線Ｌ34などは設けられていない。
【００３４】
この第三実施形態のロングガードルＧDL’も、ショートガードルＧDLに脚部６を設けてロングサイズのガードルとしたものであり、従ってガードル部ＧDL’としての機能は第一実施形態のものと基本的に同じである。但し、ロングガードルＧDL’であるから、開口３Ｃがなく、脚部６、脚レース７が設けられているため、第一実施形態のガードルＧDLでは、脚を挿通させる際に全く抵抗感がないのに対し、若干脚部６の布の接触による抵抗があるが、脚部６は一枚の伸縮性の布であるから、着脱時に着脱作業が煩わしいという不都合はない。
【００３５】
この実施形態のロングガードルＧDL’でも、裏当布１L ’、１R ’はそれぞれ第一実施形態と同様に左右にクロスして設けられているから、フロント部１の上方は３枚（裏布１ｕが設けられている領域では４枚）の布が重なり、かつ伸縮性の布がそれぞれ用いられているため、上方では腹部に対する締付け作が大きい。そして、裏当布１L ’、１R ’より下方では、身生地のみでかつ伸縮性があるため、ゆるやかな締付作用が有り、着脱も容易である。
【産業上の利用可能性】
【００３６】
この発明のガードルは、腰部への高い引締め効果を有し、かつ着用時の窮屈感がなく、女性の腹部補整用ガードルとして広く利用できる。
【図面の簡単な説明】
【００３７】
【図１】第一実施形態のショートガードルの正面図
【図２】同上の背面図
【図３】同上のショートガードルを裏返した状態の正面図
【図４】同上の背面図
【図５】図３の矢視Ｖ−Ｖからの側面図
【図６】図１の矢視VI−VIからの断面図
【図７】第二実施形態のスリップ・ガードルの正面図
【図８】同上のスリップ・ガードルを裏返した状態の正面図
【図９】第三実施形態のロングガードルの正面図
【図１０】同上のガードルを裏返した状態の正面図
【符号の説明】
【００３８】
１              フロント部
１L ’、１R ’  裏当布
１ｕ            裏布
２              脇背部
３ａ            尻部
３ｂ            尻下部
４              ボトム部
５              ウエストテープ
Ｌ12、Ｌ2       縫合線
Ｌ3 、Ｌ14      縫合線
ｔ1 、ｔ3       縁取り
【図１】
2007031908.tif 000003
【図２】
2007031908.tif 000004
【図３】
2007031908.tif 000005
【図４】
2007031908.tif 000006
【図５】
2007031908.tif 000007
【図６】
2007031908.tif 000008
【図７】
2007031908.tif 000009
【図８】
2007031908.tif 000010
【図９】
2007031908.tif 000011
【図１０】
2007031908.tif 000012